(57)【要約】【課題】別々のモジュールを必要とすることなく、ＤＴＶ放送とそれ以外のデジタルデータの受信を可能とするＤＴＶ放送用送信装置の提供。【解決手段】本発明は、ＤＴＶ放送の連続する各有効シンボルの間にガードインターバルを設けて送信データを生成するＤＴＶ放送用送信装置であって、前記ガードインターバルと有効シンボルの間に、ＤＴＶ放送以外のデジタルコンテンツの通信データを組み込むことを特徴とする。【選択図】図２
2010010965.tif 000002
【特許請求の範囲】
【請求項１】
ＤＴＶ放送の連続する各有効シンボルの間にガードインターバルを設けて送信データを生成するＤＴＶ放送用送信装置であって、
前記ガードインターバルと有効シンボルの間に、ＤＴＶ放送以外のデジタルコンテンツの通信データを組み込むことを特徴とする、ＤＴＶ放送用送信装置。
【請求項２】
前記ガードインターバルのサイズは、前記有効シンボルのサイズに対して規格によって定められた第１の比で表され、前記ガードインターバルは、前記有効シンボルの一部のコピーからなり、
前記ガードインターバルのサイズと前記通信データのサイズの合計のサイズの、前記有効シンボルのサイズに対する比は、前記ガードインターバルの前記有効シンボルのサイズに対する比であって、前記規格によって定められた第２の比と同一である、請求項１に記載のＤＴＶ放送用送信装置。
【請求項３】
前記ガードインターバルのサイズは、前記ガードインターバルのサイズの前記有効シンボルのサイズに対する比が規格によって定められた複数の比のいずれか１つとなる態様で、前記通信データの伝送レートの要求値に応じて変化される、請求項１に記載のＤＴＶ放送用送信装置。
【請求項４】
前記ガードインターバルのサイズは、前記要求値が高い場合に、前記要求値が低い場合に比べて小さくされる、請求項３に記載のＤＴＶ放送用送信装置。
【請求項５】
前記ガードインターバルのサイズは、前記ガードインターバルのサイズの前記有効シンボルのサイズに対する比が規格によって定められた複数の比のいずれか１つとなる態様で、受信側での前記ＤＴＶ放送のデータの誤り率に応じて変化される、請求項１に記載のＤＴＶ放送用送信装置。
【請求項６】
前記ガードインターバルのサイズは、前記誤り率が高い場合に、前記誤り率が低い場合に比べて大きくされる、請求項５に記載のＤＴＶ放送用送信装置。
【請求項７】
前記ガードインターバルのサイズは、前記ガードインターバルのサイズの前記有効シンボルのサイズに対する比が規格によって定められた複数の比のいずれか１つとなる態様で、受信側での前記ＤＴＶ放送の表示態様に応じて変化される、請求項１に記載のＤＴＶ放送用送信装置。
【請求項８】
前記ガードインターバルのサイズは、前記受信側での前記ＤＴＶ放送の表示時の解像度が高い場合に、前記解像度が低い場合に比べて大きくされる、請求項７に記載のＤＴＶ放送用送信装置。
【請求項９】
前記ガードインターバルのサイズは、前記ガードインターバルのサイズの前記有効シンボルのサイズに対する比が規格によって定められた複数の比のいずれか１つとなる態様で、受信側の移動体の移動態様に応じて変化される、請求項１に記載のＤＴＶ放送用送信装置。
【請求項１０】
前記ガードインターバルのサイズは、前記受信側の移動体が移動している場合に、前記受信側の移動体が停止している場合に比べて小さくされる、請求項９に記載のＤＴＶ放送用送信装置。
【請求項１１】
前記ガードインターバルのサイズは、前記ガードインターバルのサイズの前記有効シンボルのサイズに対する比が規格によって定められた複数の比のいずれか１つとなる態様で、受信側の移動体の乗員数に応じて変化される、請求項１に記載のＤＴＶ放送用送信装置。
【請求項１２】
前記ガードインターバルのサイズは、前記移動体の乗員数が１人である場合に、前記移動体の乗員数が２人以上である場合に比べて小さくされる、請求項１１に記載のＤＴＶ放送用送信装置。
【請求項１３】
前記ガードインターバルのサイズは、前記ガードインターバルのサイズの前記有効シンボルのサイズに対する比が規格によって定められた複数の比のいずれか１つとなる態様で、受信側で受信可能なＤＴＶ放送のセグメント数に応じて変化される、請求項１に記載のＤＴＶ放送用送信装置。
【請求項１４】
前記ガードインターバルのサイズは、受信側でワンセグのみ受信可能である場合に、受信側でフルセグが受信可能である場合に比べて小さくされる、請求項１３に記載のＤＴＶ放送用送信装置。
【請求項１５】
前記ガードインターバルのサイズは、前記ガードインターバルのサイズの前記有効シンボルのサイズに対する比が規格によって定められた複数の比のいずれか１つとなる態様で、受信側の移動体の目的地の属性と通信データの属性との整合性に応じて変化される、請求項１に記載のＤＴＶ放送用送信装置。
【請求項１６】
ＤＴＶ放送用の送信データ構造であって、
ＤＴＶ放送のコンテンツデータ用の有効シンボルと、
前記有効シンボルの一部のコピーからなり、当該送信データ構造の先頭部に配置されるガードインターバルとを備え、
前記ガードインターバルと前記有効シンボルの間に、ＤＴＶ放送以外のデジタルコンテンツの通信データを組み込むことを特徴とする、ＤＴＶ放送用送信データ構造。
【請求項１７】
前記通信データは、該通信データのサイズを表す情報を含む、請求項１６に記載のＤＴＶ放送用送信データ構造。
【請求項１８】
請求項１〜１５のうちのいずれか１項に記載のＤＴＶ放送用送信装置からの送信データを受信する受信装置であって、
前記送信データからＤＴＶ放送のデジタルコンテンツと前記通信データとを分離して取り出す手段を備えることを特徴とする、受信装置。
【発明の詳細な説明】
【技術分野】
【０００１】
本発明は、ＤＴＶ放送の連続する各有効シンボルの間にガードインターバルを設けて送信データを生成するＤＴＶ放送用送信装置、及び、それに関連する受信装置並びにＤＴＶ放送用送信データ構造に関する。
【背景技術】
【０００２】
従来から、デジタル放送を受信して得たデジタル放送信号を無線伝送する送信装置と、無線伝送されるデジタル放送信号を受信する無線ＴＶ受信機とから構成される無線テレビシステムにおいて、送信装置から無線ＴＶ受信機へデジタル放送信号を間欠送信し、その間欠送信の合間に送信装置から無線ＴＶ受信機へ制御データとしてビーコン信号（制御信号を受け付けることが可能であることを示す信号）を送出する構成が知られている（例えば、特許文献１参照）。
【特許文献１】特開２００７−１０４３５７号公報
【発明の開示】
【発明が解決しようとする課題】
【０００３】
ところで、従来では、ＤＴＶ放送とそれ以外のデジタルデータ（例えば動画データ）を受信しようとする場合、ＤＴＶ放送を送受信する規格とそれ以外のデジタルデータを送受信する規格とが異なるため、別々のモジュールが用いられていた。これは、ＤＴＶ放送とそれ以外のデジタルデータでは、特に送受信に使用する周波数帯の違いや通信方式が異なるためである。
【０００４】
そこで、本発明は、このような別々のモジュールを必要とすることなく、ＤＴＶ放送とそれ以外のデジタルデータの受信を可能とするＤＴＶ放送用送信装置及び受信装置並びにＤＴＶ放送用送信データ構造の提供を目的とする。
【課題を解決するための手段】
【０００５】
上記目的を達成するため、第１の発明は、ＤＴＶ放送の連続する各有効シンボルの間にガードインターバルを設けて送信データを生成するＤＴＶ放送用送信装置であって、
前記ガードインターバルと有効シンボルの間に、ＤＴＶ放送以外のデジタルコンテンツの通信データを組み込むことを特徴とする。
【０００６】
第２の発明は、第１の発明に係るＤＴＶ放送用送信装置において、
前記ガードインターバルのサイズは、前記有効シンボルのサイズに対して規格によって定められた第１の比で表され、前記ガードインターバルは、前記有効シンボルの一部のコピーからなり、
前記ガードインターバルのサイズと前記通信データのサイズの合計のサイズの、前記有効シンボルのサイズに対する比は、前記ガードインターバルの前記有効シンボルのサイズに対する比であって、前記規格によって定められた第２の比と同一であることを特徴とする。
【０００７】
第３の発明は、第１の発明に係るＤＴＶ放送用送信装置において、
前記ガードインターバルのサイズは、前記ガードインターバルのサイズの前記有効シンボルのサイズに対する比が規格によって定められた複数の比のいずれか１つとなる態様で、前記通信データの伝送レートの要求値に応じて変化されることを特徴とする。
【０００８】
第４の発明は、第３の発明に係るＤＴＶ放送用送信装置において、
前記ガードインターバルのサイズは、前記要求値が高い場合に、前記要求値が低い場合に比べて小さくされることを特徴とする。
【０００９】
第５の発明は、第１の発明に係るＤＴＶ放送用送信装置において、
前記ガードインターバルのサイズは、前記ガードインターバルのサイズの前記有効シンボルのサイズに対する比が規格によって定められた複数の比のいずれか１つとなる態様で、受信側での前記ＤＴＶ放送のデータの誤り率に応じて変化されることを特徴とする。
【００１０】
第６の発明は、第５の発明に係るＤＴＶ放送用送信装置において、
前記ガードインターバルのサイズは、前記誤り率が高い場合に、前記誤り率が低い場合に比べて大きくされることを特徴とする。
【００１１】
第７の発明は、第１の発明に係るＤＴＶ放送用送信装置において、
前記ガードインターバルのサイズは、前記ガードインターバルのサイズの前記有効シンボルのサイズに対する比が規格によって定められた複数の比のいずれか１つとなる態様で、受信側での前記ＤＴＶ放送の表示態様に応じて変化されることを特徴とする。
【００１２】
第８の発明は、第７の発明に係るＤＴＶ放送用送信装置において、
前記ガードインターバルのサイズは、前記受信側での前記ＤＴＶ放送の表示時の解像度が高い場合に、前記解像度が低い場合に比べて大きくされることを特徴とする。
【００１３】
第９の発明は、第１の発明に係るＤＴＶ放送用送信装置において、
前記ガードインターバルのサイズは、前記ガードインターバルのサイズの前記有効シンボルのサイズに対する比が規格によって定められた複数の比のいずれか１つとなる態様で、受信側の移動体の移動態様に応じて変化されることを特徴とする。
【００１４】
第１０の発明は、第９の発明に係るＤＴＶ放送用送信装置において、
前記ガードインターバルのサイズは、前記受信側の移動体が移動している場合に、前記受信側の移動体が停止している場合に比べて小さくされることを特徴とする。
【００１５】
第１１の発明は、第１の発明に係るＤＴＶ放送用送信装置において、
前記ガードインターバルのサイズは、前記ガードインターバルのサイズの前記有効シンボルのサイズに対する比が規格によって定められた複数の比のいずれか１つとなる態様で、受信側の移動体の乗員数に応じて変化されることを特徴とする。
【００１６】
第１２の発明は、第１１の発明に係るＤＴＶ放送用送信装置において、
前記ガードインターバルのサイズは、前記移動体の乗員数が１人である場合に、前記移動体の乗員数が２人以上である場合に比べて小さくされることを特徴とする。
【００１７】
第１３の発明は、第１の発明に係るＤＴＶ放送用送信装置において、
前記ガードインターバルのサイズは、前記ガードインターバルのサイズの前記有効シンボルのサイズに対する比が規格によって定められた複数の比のいずれか１つとなる態様で、受信側で受信可能なＤＴＶ放送のセグメント数に応じて変化されることを特徴とする。
【００１８】
第１４の発明は、第１３の発明に係るＤＴＶ放送用送信装置において、
前記ガードインターバルのサイズは、受信側でワンセグのみ受信可能である場合に、受信側でフルセグが受信可能である場合に比べて小さくされることを特徴とする。
【００１９】
第１５の発明は、第１の発明に係るＤＴＶ放送用送信装置において、
前記ガードインターバルのサイズは、前記ガードインターバルのサイズの前記有効シンボルのサイズに対する比が規格によって定められた複数の比のいずれか１つとなる態様で、受信側の移動体の目的地の属性と通信データの属性との整合性に応じて変化されることを特徴とする。
【００２０】
第１６の発明は、ＤＴＶ放送用の送信データ構造であって、
ＤＴＶ放送のコンテンツデータ用の有効シンボルと、
前記有効シンボルの一部のコピーからなり、当該送信データ構造の先頭部に配置されるガードインターバルとを備え、
前記ガードインターバルと前記有効シンボルの間に、ＤＴＶ放送以外のデジタルコンテンツの通信データを組み込むことを特徴とする。
【００２１】
第１７の発明は、第１６の発明に係るＤＴＶ放送用送信データ構造において、
前記通信データは、該通信データのサイズを表す情報を含むことを特徴とする。
【００２２】
第１８の発明は、第１〜１５のうちのいずれかの発明に係るＤＴＶ放送用送信装置からの送信データを受信する受信装置であって、
前記送信データからＤＴＶ放送のデジタルコンテンツと前記通信データとを分離して取り出す手段を備えることを特徴とする。
【発明の効果】
【００２３】
本発明によれば、別々のモジュールを必要とすることなく、ＤＴＶ放送とそれ以外のデジタルデータの受信を可能とするＤＴＶ放送用送信装置及び受信装置並びにＤＴＶ放送用送信データ構造が得られる。
【発明を実施するための最良の形態】
【００２４】
以下、図面を参照して、本発明を実施するための最良の形態の説明を行う。
【００２５】
図１は、本発明によるＤＴＶ放送用送信装置１０の一例の主要構成を示すブロック図である。
【００２６】
ＤＴＶ放送用送信装置１０は、図１に示すように、ＤＴＶ放送データとＴＭＣＣ（Transmission  and  Multiplexing  Configuration  and  Control）を含む有効シンボルを作成する有効シンボル作成部１１と、ガードインターバルデータを作成するガードインターバル作成部１２と、通信データ（ＤＴＶ放送データ以外のデジタルコンテンツ）を作成する通信データ作成部１３と、これらの各部１１，１２，１３で作成されたデータを統合するデータ統合部１４と、統合したデータをＯＦＤＭ（Orthogonal  frequency  division  multiplex）により送信（放送）するデータ送信部１５とを備える。
【００２７】
図２は、ＤＴＶ放送用送信装置１０のデータ送信部１５から送信される送信データ（即ちデータ統合部１４による統合後のデータ）のデータ構造の一例を示す。図２には、１フレームの送信データが示されている。送信データは、図２に示すように、先頭から、ガードインターバル、通信データ及び有効シンボルからなり、有効シンボルの先頭にはＴＭＣＣが配置される。ガードインターバルは、有効シンボルの一部をコピーしたデータからなる。図２には、有効シンボルの後部の所定時間長の部分が、仮想ガードインターバルとして示されている。仮想ガードインターバルは、従来の構成（図６参照）ではガードインターバル用のデータとしてコピーされる部分を指す。本実施例では、この仮想ガードインターバルデータのうちの、一部（例えば仮想ガードインターバルデータの先頭又は最後尾）のみがガードインターバルとして用いられ、残りの部分は、通信データに置き換えられる。即ち、ガードインターバルには、仮想ガードインターバルデータの一部だけがコピーされ、ガードインターバルに後続する部分には、仮想ガードインターバルデータの残りの部分に代わる通信データが配置される。従って、仮想ガードインターバルのサイズは、ガードインターバルのサイズと通信データのサイズの合計に等しい。尚、本実施例においても、後述の如く各種の状況に応じて通信データが組み込まれない場合もありうり、かかる場合は、従来と同様（図６参照）、ガードインターバルのデータは、仮想ガードインターバルのデータと完全に一致する。
【００２８】
以下の表１は、有効シンボルのサイズに対するガードインターバルのサイズの比等を表すＤＴＶの規格を示す表図である。これは、地上デジタルテレビジョン放送の伝送方式に関する標準規格ＡＲＩＢ  ＳＴＢ−Ｂ３１に基づく。
【００２９】
【表１】
2010010965.tif 000003
有効シンボルのサイズに対するガードインターバルのサイズの比は、表１に示すように、規格により決まっている。本実施例では、仮想ガードインターバルのサイズは、有効シンボル作成部１１で作成される有効シンボルのサイズに対して、表１の規格によって定まるいずれかの比となるように決定される。また、ガードインターバルのサイズも、有効シンボル作成部１１で作成される有効シンボルのサイズに対して、表１の規格によって定まるいずれかの比となるように決定される。ここで、仮想ガードインターバルのサイズは、ガードインターバルのサイズと通信データのサイズの合計であるので、仮想ガードインターバルの有効シンボルに対する比は、ガードインターバルの有効シンボルに対する比よりも大きい比となる。従って、例えば、仮想ガードインターバルの有効シンボルに対する比が１／４であるとき、ガードインターバルの有効シンボルに対する比は、１／８、１／１６及び１／３２のいずれかから選択される。例えば、仮想ガードインターバルの有効シンボルに対する比が１／４であるとき、ガードインターバルの有効シンボルに対する比が１／８であるとすると、通信データ用に有効シンボルサイズの１／８のデータ幅が割り当てられることになる。
【００３０】
図３は、通信データのデータ構造の一例を示す。通信データは、その先頭部に、仮想ガードインターバルのサイズを表す情報を含み、それに後続して、通信データコンテンツを含む。仮想ガードインターバルのサイズを表す情報は、後述の如く受信側で１フレーム中の通信データとＤＴＶ放送データとを分離する際に必要となる。仮想ガードインターバルのサイズは、上述の如く、ガードインターバルのサイズと通信データのサイズの合計に等しく、ガードインターバルのサイズはＴＭＣＣから既知となるので、通信データのサイズが分かれば、仮想ガードインターバルのサイズが分かる。従って、仮想ガードインターバルのサイズの情報は、実質的に通信データのサイズの情報に等価であり、通信データの先頭部には、仮想ガードインターバルのサイズに代えて、通信データのサイズの情報が組み込まれてもよい。
【００３１】
図４は、ＤＴＶ放送用送信装置１０からの送信データを受信するのに好適な受信装置３０の一例の主要構成を示すブロック図である。受信装置３０は、移動体としての車両に搭載されるのが好適である。但し、車両は、あくまで移動体の一例であり、その他の移動体としては、自動二輪車、鉄道、船舶、航空機、建設機械、ホークリフト、ロボットや、人の移動に伴い移動する携帯電話等の情報端末等がありうる。
【００３２】
受信装置３０は、図２に示すように、ＤＴＶ放送用送信装置１０からの送信データを受信するためのチューナー３１と、ＯＦＤＭ＋データ分離部３２と、ＤＴＶ処理部３３と、通信データ処理部３４とを備える。
【００３３】
ＯＦＤＭ＋データ分離部３２は、チューナー３１で受け取ったデータを復調する機能（ＯＦＤＭ復調機能）と、復調したデータをＤＴＶ放送データと通信データコンテンツに分離する機能を有する。尚、この分離機能については、図５を参照して後述する。
【００３４】
ＤＴＶ処理部３３は、ＯＦＤＭ＋データ分離部３２にて分離されたＤＴＶ放送データ（ＤＴＶコンテンツ）を出力装置（図示せず）に出力できるように処理する。出力装置は、例えば車室内に搭載されるディスプレイ（図１５に示すディスプレイ５０参照）やスピーカーから構成されてもよい。
【００３５】
通信データ処理部３４は、ＯＦＤＭ＋データ分離部３２にて分離された通信データコンテンツを出力装置（図示せず）に出力できるように処理する。出力装置は、例えば車室内に搭載されるディスプレイやスピーカーから構成されてよい。出力装置は、ＤＴＶ放送データの出力装置と共通であってもよい。
【００３６】
図５は、ＯＦＤＭ＋データ分離部３２にて実行されるデータ分離処理の一例を示すフローチャートである。
【００３７】
ステップ５１では、分離すべきデータ（ＤＴＶ放送データと通信データコンテンツを含むデータ）が受信される。
【００３８】
ステップ５２では、データ中のガードインターバル位置（フレームの区切り位置）が探索される。この探索方法の一例については、図７を参照して後述する。
【００３９】
ステップ５３では、仮想ガードインターバルのサイズが読み込まれる。即ち、データ中のガードインターバル位置が特定されると、通信データの先頭から仮想ガードインターバルのサイズ情報が読み出される。仮想ガードインターバルのサイズ情報が格納されている位置は、ガードインターバル位置とガードインターバルサイズから特定されてもよい。
【００４０】
ステップ５４では、ＤＴＶ放送用送信装置１０からの送信データの１フレームのサイズが算出される。例えば、フレームサイズは、有効シンボルサイズと仮想ガードインターバルサイズの合計であることを利用して算出されてよい。有効シンボルサイズは、ＴＭＣＣ内の情報から特定されてよい。
【００４１】
ステップ５５，５６では、以上のステップ５１乃至５４から得られた情報（各サイズ情報）に基づいて、１フレームデータからＤＴＶ放送データと通信データコンテンツを分離する。即ち、通信データの開始位置／通信データのサイズ及び有効シンボルの開始位置／有効シンボルのサイズから、それぞれＤＴＶ放送データと通信データコンテンツとを抽出する（切り出す）。
【００４２】
図７は、ガードインターバル位置の探索方法（図５のステップ５２参照）の一例を模式的に示す図である。
【００４３】
図７（Ａ）に示すように、ＤＴＶ放送用送信装置１０からの送信データは、図３に示したように、フレーム毎にガードインターバルと通信データと有効シンボルからなる。そこで、先ず、図７（Ｂ）に示すように、ランダムにガードインターバルの位置の候補（ガードインターバル候補）を設定し、その位置から、表１で示されるモード１，２，３のそれぞれの有効シンボルサイズから予測される位置に、コピー元があるか否かが判定される。コピー元があると、高い相関値が算出されることになる。コピー元が無ければ、ガードインターバル候補の位置が誤りであると判断して、ガードインターバル候補の位置を移動する。このようにして、図７（Ｃ）に示すように、ガードインターバル候補の位置を順次ずらしながら正しいガードインターバルの位置を探し当てる。正しいガードインターバルの位置が確定すると、それに伴いガードインターバルのサイズ及び有効シンボルのサイズが確定する。
【００４４】
図８は、１フレームのサイズの算出方法（図５のステップ５４参照）の一例を模式的に示す図である。
【００４５】
図８（Ａ）に示すように、ガードインターバルの位置（フレームの区切り）が特定されると、ガードインターバルの位置からガードインターバルサイズだけ離間した位置から始まる通信データの先頭部の情報から、仮想ガードインターバルサイズが既知となる。従って、図８（Ｂ）に示すように、仮想ガードインターバルサイズから通信データのサイズが既知となり、それに伴い有効シンボルの開始位置が既知となり、その結果、１フレームのサイズが算出することが可能となる。
【００４６】
図９は、本実施例のＤＴＶ放送用送信装置１０及び受信装置３０が適用される代表的なシステムを示す図である。図９に示すように、本実施例のＤＴＶ放送用送信装置１０は、放送局に設置され、受信装置３０は、車両やパソコン、携帯電話などに搭載される。
【００４７】
図１０は、図９のシステムの実現例の一例を示す。ＤＴＶ放送用送信装置１０には、仮想ガードインターバルサイズとガードインターバルサイズが入力される。尚、これらのサイズを固定して用いられる場合は、予めＤＴＶ放送用送信装置１０及び受信装置３０に固定値が保持されていてもよい。ＤＴＶ放送用送信装置１０では、入力情報に基づいて、ＤＴＶ放送で送信できるフレーム（送信データ）を作成・送信する。受信装置３０は、各フレームを受信し、図５で示したようにデータ分離を行い、要求に応じてＤＴＶ放送データと通信データを記憶媒体若しくは外部出力（出力装置）に出力する。
【００４８】
以上説明した本実施例によれば、とりわけ、以下のような優れた効果が奏される。
【００４９】
本実施例によれば、上述の如く、ＤＴＶ放送用送信装置１０は、ＤＴＶ放送データ用の送信データに通信データを組み込んで送信するので、受信装置３０は、別々のモジュールを必要とすることなく、ＤＴＶ放送とそれ以外のデジタル通信データを受信することができる。即ち、本実施例によれば、１つの受信装置３０によりＤＴＶ放送と通信データの双方の受信が可能となる。
【００５０】
次に、上述の実施例を基本実施例として、その他の好ましい実施例について幾つか説明する。以下では、上述の基本実施例と同様の構成は同様の参照符号を付して説明を適宜省略する。
【実施例１】
【００５１】
図１１は、実施例１によるＤＴＶ放送用送信装置１０の一例の主要構成を示すブロック図である。本実施例１は、上述の基本実施例に対して、ガードインターバルサイズ制御部１６が追加された点が主に異なる。その他の同様であってよい構成要素については、上述の基本実施例と同様の参照符号を用いて説明を適宜省略する。
【００５２】
ところで、上述の基本実施例においては、ＤＴＶ放送データと通信データコンテンツ用の受信装置が統一されているので、それぞれ専用の受信装置を別々に備える構成に比べて、通信データの伝送速度が、要求される伝送速度よりも遅くなる虞がある。
【００５３】
そこで、本実施例１では、通信データの伝送速度と、要求される伝送速度との差を最小限に留めるために、ガードインターバルサイズ制御部１６が追加されている。ガードインターバルサイズ制御部１６は、通信データコンテンツ毎に要求されるデータ通信の伝送速度に応じて、随時仮想ガードインターバルサイズとガードインターバルサイズ（及びそれに伴い１フレーム当たりの通信データサイズ）を最適化する。
【００５４】
図１２は、ガードインターバルサイズ制御部１６により実行される処理の一例を示すフローチャートである。
【００５５】
ステップ１２１では、データ通信が開始されたか否かが判定される。データ通信が開始されていない場合には、通信データを組み込む必要が無いので、ガードインターバルサイズは、仮想ガードインターバルサイズと同一に設定される（ステップ１２８）。データ通信が開始された場合には、ステップ１２２に進む。
【００５６】
ステップ１２２では、要求される伝送速度（必要伝送速度）が読み込まれる。必要伝送速度は、送信すべき通信データコンテンツに応じて決定された速度であってもよい。ここでは、一例として、１Ｇｂｉｔのデータを３００ｓｅｃ以内に送信する必要がある場合を想定する。この場合、３．３３Ｍｂｐｓ以上の伝送速度が要求されていることになり、必要伝送速度はその最小値３．３３Ｍｂｐｓに設定される。
【００５７】
ステップ１２３では、ＤＴＶモードが読み込まれる。ＤＴＶモードは、上記の表１に示したモード１〜３のいずれかである。ここでは、一例として、モード３であり、仮想ガードインターバルのサイズは有効シンボルのサイズの１／４であるとする。
【００５８】
ステップ１２４では、１フレーム当たりの通信データサイズが算出される。ここでは、モード３であり、１フレームサイズは、１２６０μｓ（＝１００８＋２５２）である。そのため、１フレーム当たり４１９５．８ビット（＝３．３３Ｍｂｐｓ×１２６０μｓ）以上のデータを送る必要がある。
【００５９】
ステップ１２５では、仮想ガードインターバルサイズとガードインターバルサイズの組み合わせが探索される。適切な仮想ガードインターバルサイズとガードインターバルサイズの組み合わせは、例えば以下の表２に示す組み合わせ候補から探索される。
【００６０】
【表２】
2010010965.tif 000004
本例では、仮想ガードインターバルのサイズは有効シンボルのサイズの１／４であるので、ガードインターバルサイズの候補は、１／４，１／８，１／１６，１／３２の４つであるが、１／４のときは通信データを送れないので、ガードインターバルサイズの候補は、実質的に１／８，１／１６，１／３２の３つである。ここで、有効シンボルサイズの１／８は４２１２．７５ビット相当であり、有効シンボルサイズの１／１６は２１０６．３７５ビット相当であるため、４１９５，８ビット相当以上の通信データを送るためには、ガードインターバルサイズを１／８以下にする必要があり、その結果、有効シンボルサイズの１／８（１／８以下を満たす最大の値）がガードインターバルサイズの最適値として決定される。これにより、通信データのサイズは、有効シンボルサイズの１／８（＝１／４−１／８）となり、１フレーム当たり４２１２．７５ビット相当（＞４１９５，８ビット相当）の通信データが送信可能となる。
【００６１】
このようにして本ステップ１２５にて仮想ガードインターバルサイズとガードインターバルサイズの組み合わせが決定されると、それらのサイズに従って、ガードインターバル作成部１２にてガードインターバルが作成されると共に、通信データ作成部１３にて通信データ（通信データのサイズ＝仮想ガードインターバルサイズ−ガードインターバルサイズ）が作成される。そして、これらのデータはデータ統合部１４により統合され、データ送信部１５から送信される。
【００６２】
ステップ１２６では、データ通信が終了したか否かが判定され、終了していない場合は待機した上で（ステップ１２７）、データ通信が終了したらステップ１２１に戻る。
【００６３】
以上説明した本実施例１によれば、上述の基本実施例の効果に加えて、とりわけ、以下のような優れた効果が奏される。
【００６４】
本実施例によれば、上述の如く、通信データの送信に要求される伝送速度を満たすような最大のガードインターバルサイズ（ひいては通信データサイズ）を決定するので、通信データの送信に要求される伝送速度を満たしつつ、ガードインターバルによる必要なノイズ耐性を維持することができる。
【実施例２】
【００６５】
図１３は、実施例２によるＤＴＶ放送用送信装置１０の主要構成の一例及び受信側の主要構成の一例を示すブロック図である。本実施例２は、上述の基本実施例に対して、ＤＴＶ放送用送信装置１０においてガードインターバルサイズ／通信データサイズ制御部１７が追加され、受信装置３０においてデータサイズ算出部３５が追加された点が主に異なる。その他の同様であってよい構成要素については、上述の基本実施例と同様の参照符号を用いて説明を適宜省略する。
【００６６】
ところで、上述の基本実施例においては、ＤＴＶのガードインターバルに割り当てられた領域を、通信データの送信に利用するので、従来の構成（図６参照）よりもマルチパスによるゴーストの発生頻度が高くなる虞がある。
【００６７】
そこで、本実施例２では、以下で具体的に説明するように、受信側でガードインターバルサイズと通信データサイズの比の要求値（ゴーストの発生頻度を低減できるような要求値）を、受信したＤＴＶ放送データの誤り率から算出し、その要求値を送信側にフィードバックし、送信側では、当該要求値に従って、以降の送信データにおけるガードインターバルサイズと通信データサイズの比を決定する。
【００６８】
図１４は、受信装置３０のデータサイズ算出部３５により実行される処理の一例を示すフローチャートである。
【００６９】
ステップ１４１では、ＯＦＤＭ＋データ分離部３２において算出される誤り率（受信したＤＴＶ放送データの誤り率）を入力として、誤り率が規定許容値以上であるか否かが判定される。規定許容値は、仕様で定められた値であってもよいし、誤り訂正することができるか否かの観点から定まる適合値であってもよい。例えば、１８８バイト中８バイトを誤り訂正符号に割り当てた場合に誤り訂正することができるか否かの観点から定まる値であってもよい。誤り率が規定許容値以上である場合には、ステップ１４２に進み、誤り率が規定許容値未満である場合には、ステップ１４３に進む。
【００７０】
ステップ１４２では、受信したＤＴＶ放送データの誤り訂正ができなくなる可能性があるため、かかる可能性を低減すべく、１フレーム中の通信データサイズを小さくする、即ちガードインターバルサイズを大きくするための要求値が決定される。例えば、現在の仮想ガードインターバルサイズが有効シンボルサイズの１／４であり、ガードインターバルサイズが有効シンボルサイズの１／８であり、通信データサイズが有効シンボルサイズの１／８である場合、次のフレームのガードインターバルサイズが１／４になるよう（即ち通信データがゼロになるよう）要求値が決定される。
【００７１】
ステップ１４３では、誤り率が十分小さいか否かが判定される。誤り率が所定基準値よりも小さい場合には、誤り率が十分小さいと判定して、ステップ１４４に進み、誤り率が所定基準値以上である場合には、ステップ１４５に進む。
【００７２】
ステップ１４４では、誤り率が十分小さいことから現在の１フレーム中の通信データサイズを大きくすることができると判断し、通信データサイズを大きくする、即ちガードインターバルサイズを小さくするための要求値が決定される。例えば、同様に、現在の仮想ガードインターバルサイズが有効シンボルサイズの１／４であり、ガードインターバルサイズが有効シンボルサイズの１／８であり、通信データサイズが有効シンボルサイズの１／８である場合、次のフレームのガードインターバルサイズが１／１６になるよう（即ち通信データサイズが３／１６になるよう）要求値が決定される。
【００７３】
ステップ１４５では、誤り率が適正範囲であることから現在の１フレーム中の通信データサイズが最適値であると判断し、通信データサイズ（及びガードインターバルサイズ）は変更されない。
【００７４】
このようにして決定された要求値は、受信装置３０からＤＴＶ放送用送信装置１０に送信（フィードバック）される。これを受けて、ＤＴＶ放送用送信装置１０のガードインターバルサイズ／通信データサイズ制御部１７は、受信した要求値に従って、以降の送信データにおけるガードインターバルサイズ（即ちガードインターバルサイズと通信データサイズの比）を決定する。そして、決定されたサイズに従って、ガードインターバル作成部１２にてガードインターバルが作成されると共に、通信データ作成部１３にて通信データ（通信データのサイズ＝仮想ガードインターバルサイズ−ガードインターバルサイズ）が作成される。そして、これらのデータはデータ統合部１４により統合され、データ送信部１５から送信される。
【００７５】
本実施例によれば、上述の如く、受信したＤＴＶ放送データの誤り率から、現状のガードインターバルサイズ（及びそれに伴い通信データサイズ）を随時変更することで、ＤＴＶ放送の受信性能を下げることなく、より多くの通信データを送受信することが可能となる。
【００７６】
尚、上述した実施例では、仮想ガードインターバルサイズを一定に固定し、仮想ガードインターバルサイズをガードインターバルサイズと通信データサイズに割り振る際の比を調整しているが、仮想ガードインターバルサイズもＤＴＶ放送データの誤り率に応じて変化させてもよい。この場合、ガードインターバルサイズと通信データサイズの比を固定しつつ、仮想ガードインターバルサイズを可変させてもよいし、ガードインターバルサイズと通信データサイズの比を同様に変化させつつ、仮想ガードインターバルサイズを可変させてもよい。
【実施例３】
【００７７】
図１５は、実施例３によるＤＴＶ放送用送信装置１０の主要構成の一例及び受信側の主要構成の一例を示すブロック図である。本実施例３は、上述の基本実施例に対して、ＤＴＶ放送用送信装置１０においてガードインターバルサイズ／通信データサイズ制御部１７が追加され、受信側に表示コントローラ４０が追加された点が主に異なる。その他の同様であってよい構成要素については、上述の基本実施例と同様の参照符号を用いて説明を適宜省略する。
【００７８】
表示コントローラ４０は、上述の基本実施例と同様の受信装置３０に接続される。表示コントローラ４０は、受信装置３０と共に、車載器７０の構成要素である。表示コントローラ４０は、受信装置３０から供給される各種データ（ＤＴＶ放送データ）に基づいて、例えば車室内に設けられるディスプレイ５０の表示を制御する。
【００７９】
ところで、車載のＤＴＶなどでは同じディスプレイに出力する場合でも、出力態様により必要な解像度が異なる。例えば図１６に示すように、ディスプレイ５０全体にＤＴＶ放送を出力する場合（図１６（Ａ））と、ディスプレイ５０の一部にＤＴＶ放送を出力する場合（図１６（Ｂ））とで、必要な解像度（最適な解像度）が異なる。
【００８０】
そこで、本実施例３では、以下で具体的に説明するように、必要な解像度に応じて通信データサイズを変更することで、ＤＴＶの受信ノイズをユーザが不快に感じないレベルに抑えつつ、より多くの通信データを受信できるようにする。即ち、受信側でガードインターバルサイズと通信データサイズの比の要求値（最適値）を、必要な解像度から決定し、その要求値を送信側にフィードバックし、送信側では、当該要求値に従って、以降の送信データにおけるガードインターバルサイズと通信データサイズの比を調整する。
【００８１】
図１７は、表示コントローラ４０により実行されるガードインターバルサイズ出力処理の一例を示すフローチャートである。
【００８２】
ステップ１７１では、現在のディスプレイ５０の表示モードが入力される。ディスプレイ５０の表示モードは、複数種存在し、例えば、図１６（Ａ）に示したようなディスプレイ５０全体にＤＴＶ放送を出力する表示モードや、図１６（Ｂ）に示したようなディスプレイ５０の一部にＤＴＶ放送を出力する表示モードを含んでよい。
【００８３】
ステップ１７２では、入力された表示モードに応じて、必要な解像度が判定される。尚、必要な解像度は、表示モードに応じた最適な解像度として予め決定されていてよい。例えば、図１６（Ａ）に示したようなディスプレイ５０全体にＤＴＶ放送を出力する表示モードの場合、ＤＴＶ出力には高い解像度（高画質化）が要求される。従って、この場合、必要な解像度が高いと判定され、ステップ１７３に進む。他方、図１６（Ｂ）に示したようなディスプレイ５０の一部にＤＴＶ放送を出力する表示モードの場合、図１６（Ａ）に示した表示モードよりも低い解像度であっても、ＤＴＶの受信ノイズをユーザが不快に感じない。従って、この場合、必要な解像度が低いと判定され、ステップ１７４に進む。
【００８４】
ステップ１７３では、必要な解像度が高いことに対応すべく、１フレーム中の通信データサイズを小さくする、即ちガードインターバルサイズを大きくするための要求値が決定される。例えば、現在の仮想ガードインターバルサイズが有効シンボルサイズの１／４であり、ガードインターバルサイズが有効シンボルサイズの１／８であり、通信データサイズが有効シンボルサイズの１／８である場合、次のフレームのガードインターバルサイズが１／４になるよう（即ち通信データがゼロになるよう）要求値が決定される。
【００８５】
ステップ１７４では、必要な解像度が低いことから現在の１フレーム中の通信データサイズを大きくすることができると判断し、通信データサイズを大きくする、即ちガードインターバルサイズを小さくするための要求値が決定される。例えば、同様に、現在の仮想ガードインターバルサイズが有効シンボルサイズの１／４であり、ガードインターバルサイズが有効シンボルサイズの１／８であり、通信データサイズが有効シンボルサイズの１／８である場合、次のフレームのガードインターバルサイズが１／１６になるよう（即ち通信データサイズが３／１６になるよう）要求値が決定される。
【００８６】
ステップ１７５では、上述の如く決定した要求値がＤＴＶ放送用送信装置１０に出力（送信）される。これを受けて、ＤＴＶ放送用送信装置１０のガードインターバルサイズ／通信データサイズ制御部１７は、受信した要求値に従って、以降の送信データにおけるガードインターバルサイズ（即ちガードインターバルサイズと通信データサイズの比）を決定する。そして、決定されたサイズに従って、ガードインターバル作成部１２にてガードインターバルが作成されると共に、通信データ作成部１３にて通信データ（通信データのサイズ＝仮想ガードインターバルサイズ−ガードインターバルサイズ）が作成される。そして、これらのデータはデータ統合部１４により統合され、データ送信部１５から送信される。
【００８７】
本実施例によれば、上述の如く、受信側の必要な解像度に応じて、現状のガードインターバルサイズ（及びそれに伴い通信データサイズ）を随時変更することで、ユーザのニーズから求められる画質とＤＴＶ映像の安定性を保ちつつ、より多くの通信データを送受信することが可能となる。
【００８８】
尚、上述した実施例では、仮想ガードインターバルサイズを一定に固定し、仮想ガードインターバルサイズをガードインターバルサイズと通信データサイズに割り振る際の比を調整しているが、仮想ガードインターバルサイズも受信側の必要な解像度に応じて変化させてもよい。この場合、ガードインターバルサイズと通信データサイズの比を固定しつつ、仮想ガードインターバルサイズを可変させてもよいし、ガードインターバルサイズと通信データサイズの比を同様に変化させつつ、仮想ガードインターバルサイズを可変させてもよい。
【００８９】
また、上述した実施例では、必要な解像度を２段階で判断し、それに応じて２通りのガードインターバルサイズが選択されているが、必要な解像度を３段階以上の多段階で判断し、それに応じて３通りのガードインターバルサイズ（及び／又は仮想ガードインターバルサイズ）が選択されてもよい。
【実施例４】
【００９０】
図１８は、実施例４によるＤＴＶ放送用送信装置１０の主要構成の一例及び受信側の主要構成の一例を示すブロック図である。本実施例４は、上述の基本実施例に対して、ＤＴＶ放送用送信装置１０においてガードインターバルサイズ／通信データサイズ制御部１７が追加され、受信側に通信データサイズ制御部４２等が追加された点が主に異なる。その他の同様であってよい構成要素については、上述の基本実施例と同様の参照符号を用いて説明を適宜省略する。
【００９１】
通信データサイズ制御部４２は、上述の基本実施例と同様の受信装置３０に接続される。通信データサイズ制御部４２は、例えば車載の通信モジュールにより具現化されてもよい。通信データサイズ制御部４２には、車速センサ４４及びＤＴＶスイッチ４６が接続される。車速センサ４４は、車両の各輪に設けられ、車速パルスを出力する。尚、車速センサ４４は、ＡＢＳで用いられるセンサと共用であってよい。また、通信データサイズ制御部４２には、他のＥＣＵから車速センサ４４に基づく車速の算出結果が供給されてもよい。ＤＴＶスイッチ４６は、ＤＴＶ放送の出力中にオンになり、ＤＴＶ放送の出力が無いときにオフとなるスイッチである。通信データサイズ制御部４２、車速センサ４４及びＤＴＶスイッチ４６は、受信装置３０と共に、車載器７０の構成要素である。
【００９２】
ところで、車載器でのＤＴＶ受信では、車両の走行状態によりユーザが必要とする情報量が異なる。例えば、車両が停止中又は駐車中である場合は、ユーザはディスプレイの表示をじっくりと見れるのでその分だけ多い情報量で出力することが好ましいが、車両が走行中である場合は、運転者の運転の妨げにならないように必要最小限の情報量で出力することが好ましい。
【００９３】
そこで、本実施例４では、走行状態とＤＴＶスイッチ４６のオン／オフ状態に応じて１フレーム中の通信データサイズとガードインターバルサイズを最適化する。即ち、受信側で通信データサイズの要求値（最適値）を、車両の走行状態等から決定し、その要求値を送信側にフィードバックし、送信側では、当該要求値に従って、以降の送信データにおける通信データサイズを調整する。
【００９４】
図１９は、本実施例４の通信データサイズ制御部４２により実行される通信データサイズ出力処理の一例を示すフローチャートである。尚、ここでは、一例として、仮想ガードインターバルサイズが、有効シンボルサイズの１／４の一定値であるとして説明する。
【００９５】
ステップ１９１では、車速センサ４４からの情報に基づいて車両の走行状態が判定される。即ち、車両が走行中であるか又は停車／駐車中であるかが判定される。車両が走行中であるか又は停車／駐車中であるかの判定には、車速センサ４４からの情報に代えて若しくは加えて、ＧＰＳ測位結果やトランスミッションの回転数やブレーキ操作量やシフトポジション等が考慮されてもよい。車両が走行中である場合には、ステップ１９２に進み、車両が停車／駐車中である場合には、ステップ１９５に進む。
【００９６】
ステップ１９２では、ＤＴＶスイッチ４６がオンであるかオフであるかが判定される。ＤＴＶスイッチ４６がオンである場合には、ステップ１９３に進み、ＤＴＶスイッチ４６がオフである場合には、ステップ１９４に進む。
【００９７】
ステップ１９３では、ガードインターバルサイズをある程度小さくしてその分通信データに割り当てても、必要な受信精度が確保されると判断して、通信データサイズの要求値は、所定値（例えば有効シンボルサイズの３／１６又は１／８）に決定される。所定値は、ＤＴＶ放送データの音声データに関して必要な受信精度が確保される最大の通信データサイズに対応してよい。これは、走行中でＤＴＶスイッチ４６がオンである場合、ディスプレイ上にＤＴＶ映像を出力する必要が無く、ＤＴＶ放送で受信する必要のあるデータは音声データのみとなるためである。
【００９８】
ステップ１９４では、通信データサイズの要求値は、最大値（有効シンボルサイズの７／３２）に決定される。これは、ＤＴＶスイッチ４６がオフであることからＤＴＶ放送を受信する必要自体が無いためである。
【００９９】
ステップ１９５では、ＤＴＶスイッチ４６がオンであるかオフであるかが判定される。ＤＴＶスイッチ４６がオンである場合には、ステップ１９６に進み、ＤＴＶスイッチ４６がオフである場合には、ステップ１９７に進む。
【０１００】
ステップ１９６では、通信データサイズの要求値は最小値（ゼロ）に決定される。これは、車両が停車／駐車中であり且つＤＴＶスイッチ４６がオンである場合には、ＤＴＶ放送データを精度良く受信することをユーザが望んでいる可能性が高いからである。
【０１０１】
ステップ１９７では、通信データサイズの要求値は、最大値（有効シンボルサイズの７／３２）に決定される。これは、ＤＴＶスイッチ４６がオフであることからＤＴＶ放送を受信する必要自体が無いためである。
【０１０２】
ステップ１９８では、上述の如く決定した通信データサイズの要求値がＤＴＶ放送用送信装置１０に出力（送信）される。これを受けて、ＤＴＶ放送用送信装置１０のガードインターバルサイズ／通信データサイズ制御部１７は、受信した要求値に従って、以降の送信データにおける通信データサイズを決定する。そして、決定されたサイズに従って、通信データ作成部１３にて通信データが作成されると共に、ガードインターバル作成部１２にてガードインターバル（ガードインターバルサイズ＝仮想ガードインターバルサイズ−通信データサイズ）が作成される。そして、これらのデータはデータ統合部１４により統合され、データ送信部１５から送信される。
【０１０３】
本実施例によれば、上述の如く、車両の走行状態に応じて、１フレーム中の通信データサイズを変更することで、ＤＴＶに必要なデータ受信性能を低下させることなく、より多くの通信データを１フレームで送ることが可能となる。
【０１０４】
尚、上述した実施例では、仮想ガードインターバルサイズを一定に固定し、仮想ガードインターバルサイズに占める通信データサイズ（即ちガードインターバルサイズと通信データサイズに割り振る際の比）を調整しているが、仮想ガードインターバルサイズも、車両の走行状態に応じて変化させてもよい。この場合、ガードインターバルサイズと通信データサイズの比を固定しつつ、仮想ガードインターバルサイズを可変させてもよいし、ガードインターバルサイズと通信データサイズの比を同様に変化させつつ、仮想ガードインターバルサイズを可変させてもよい。例えば、通信データサイズは、表３に示すような態様で、仮想ガードインターバルサイズに応じて、各ステップ１９３，１９４，１９６，１９７で決定されることとしてもよい。
【０１０５】
【表３】
2010010965.tif 000005
尚、表３における各数字は、有効シンボルサイズに対する通信データサイズの割合を表している。例えば、仮想ガードインターバルサイズが、有効シンボルサイズの１／８である場合は、ステップ１９３では、通信データサイズの要求値は、有効シンボルサイズの１／１６に決定され、ステップ１９４では、通信データサイズの要求値は、有効シンボルサイズの３／３２に決定され、ステップ１９６では、通信データサイズの要求値は、ゼロに決定され、ステップ１９８では、通信データサイズの要求値は、有効シンボルサイズの３／３２に決定される。
【０１０６】
また、図１９に示した処理では、車速から走行状態を判定した後でＤＴＶスイッチ４６のオン／オフの判定を行っているが、判定順序を逆としてもよいし、同時に判定してもよい。
【０１０７】
また、図１９に示した処理では、ステップ１９６で通信データサイズの要求値は最小値のゼロに決定されているが、通信データサイズの要求値はゼロより大きい最小値（例えば、仮想ガードインターバルサイズが、有効シンボルサイズの１／４である場合、有効シンボルサイズの１／８）に決定されることとしてもよい。
【実施例５】
【０１０８】
図２０は、実施例５によるＤＴＶ放送用送信装置１０の主要構成の一例及び受信側の主要構成の一例を示すブロック図である。本実施例５は、上述の基本実施例に対して、ＤＴＶ放送用送信装置１０においてガードインターバルサイズ／通信データサイズ制御部１７が追加され、受信側に通信データサイズ制御部４２等が追加された点が主に異なる。その他の同様であってよい構成要素については、上述の基本実施例と同様の参照符号を用いて説明を適宜省略する。また、本実施例５は、上述の実施例４に対して、乗員センサ４８が追加された点が主に異なる。
【０１０９】
通信データサイズ制御部４２には、車速センサ４４及びＤＴＶスイッチ４６に加えて、車両の乗員数を検知する乗員センサ４８が接続される。乗員センサ４８は、シートに埋設される荷重センサであってもよいし、車室内のカメラ（画像センサ）であってもよい。
【０１１０】
ところで、車載器でのＤＴＶ受信では、車両の走行状態によりユーザが必要とする情報量が異なる。例えば、車両が停止中又は駐車中である場合は、ユーザはディスプレイの表示をじっくりと見れるのでその分だけ多い情報量で出力することが好ましいが、車両が走行中である場合は、運転者の運転の妨げにならないように必要最小限の情報量で出力することが好ましい。しかしながら、例え車両が走行中である場合であっても、例えば２画面表示方式（助手席側からと運転席側からとで異なる表示が見えるような表示方式）を用いる車両や複数のディスプレイが設置される車両では、助手席や後部座席等に乗車する運転者以外の乗員が、ＤＴＶ放送の高品質の受信を望む場合がありうる。
【０１１１】
そこで、本実施例５では、走行状態とＤＴＶスイッチ４６のオン／オフ状態と乗員の乗車状態に応じて１フレーム中の通信データサイズとガードインターバルサイズを最適化する。即ち、受信側で通信データサイズの要求値（最適値）を、車両の走行状態や乗員の乗車状態等から決定し、その要求値を送信側にフィードバックし、送信側では、当該要求値に従って、以降の送信データにおける通信データサイズを調整する。
【０１１２】
図２１は、本実施例５の通信データサイズ制御部４２により実行される通信データサイズ出力処理の一例を示すフローチャートである。尚、ここでは、一例として、仮想ガードインターバルサイズが、有効シンボルサイズの１／４の一定値であるとして説明する。
【０１１３】
ステップ２１１では、車速センサ４４からの情報に基づいて車両の走行状態が判定される。即ち、車両が走行中であるか又は停車／駐車中であるかが判定される。車両が走行中であるか又は停車／駐車中であるかの判定には、車速センサ４４からの情報に代えて若しくは加えて、ＧＰＳ測位結果やトランスミッションの回転数やブレーキ操作量やシフトポジション等が考慮されてもよい。車両が走行中である場合には、ステップ２１２に進み、車両が停車／駐車中である場合には、ステップ２１７に進む。
【０１１４】
ステップ２１２では、ＤＴＶスイッチ４６がオンであるかオフであるかが判定される。ＤＴＶスイッチ４６がオンである場合には、ステップ２１３に進み、ＤＴＶスイッチ４６がオフである場合には、ステップ２１６に進む。
【０１１５】
ステップ２１３では、乗員センサ４８からの情報に基づいて、乗員数が１名か若しくは２名以上かが判定される。乗員数が１名である場合には、ステップ２１４に進み、乗員数が２名以上である場合には、ステップ２１５に進む。
【０１１６】
ステップ２１４では、ガードインターバルサイズをある程度小さくしてその分通信データに割り当てても、必要な受信精度が確保されると判断して、通信データサイズの要求値は、所定値（例えば有効シンボルサイズの３／１６又は１／８）に決定される。所定値は、ＤＴＶ放送データの音声データに関して必要な受信精度が確保される最大の通信データサイズに対応してよい。これは、乗員が運転者１人であり、且つ、走行中でＤＴＶスイッチ４６がオンである場合、ディスプレイ上にＤＴＶ映像を出力する必要が無く、ＤＴＶ放送で受信する必要のあるデータは音声データのみとなるためである。
【０１１７】
ステップ２１５では、通信データサイズの要求値は最小値（ゼロ）に決定される。これは、乗員が２名以上であり、且つ、車両が走行中でＤＴＶスイッチ４６がオンである場合には、ＤＴＶ放送データの映像データと音声データの双方が運転者以外の乗員にとって必要となるためである。
【０１１８】
ステップ２１６では、通信データサイズの要求値は、最大値（有効シンボルサイズの７／３２）に決定される。これは、ＤＴＶスイッチ４６がオフであることからＤＴＶ放送を受信する必要自体が無いためである。
【０１１９】
ステップ２１７では、ＤＴＶスイッチ４６がオンであるかオフであるかが判定される。ＤＴＶスイッチ４６がオンである場合には、ステップ２１８に進み、ＤＴＶスイッチ４６がオフである場合には、ステップ２１９に進む。
【０１２０】
ステップ２１８では、通信データサイズの要求値は最小値（ゼロ）に決定される。これは、車両が停車／駐車中であり且つＤＴＶスイッチ４６がオンである場合には、乗員の数の如何に関らず、ＤＴＶ放送データを精度良く受信することをユーザが望んでいる可能性が高いからである。
【０１２１】
ステップ２１９では、通信データサイズの要求値は、最大値（有効シンボルサイズの７／３２）に決定される。これは、ＤＴＶスイッチ４６がオフであることからＤＴＶ放送を受信する必要自体が無いためである。
【０１２２】
ステップ２２０では、上述の如く決定した通信データサイズの要求値がＤＴＶ放送用送信装置１０に出力（送信）される。これを受けて、ＤＴＶ放送用送信装置１０のガードインターバルサイズ／通信データサイズ制御部１７は、受信した要求値に従って、以降の送信データにおける通信データサイズを決定する。そして、決定されたサイズに従って、通信データ作成部１３にて通信データが作成されると共に、ガードインターバル作成部１２にてガードインターバル（ガードインターバルサイズ＝仮想ガードインターバルサイズ−通信データサイズ）が作成される。そして、これらのデータはデータ統合部１４により統合され、データ送信部１５から送信される。
【０１２３】
本実施例によれば、上述の如く、車両の走行状態や乗員数等に応じて、１フレーム中の通信データサイズを変更することで、ＤＴＶに必要なデータ受信性能を低下させることなく、より多くの通信データを１フレームで送ることが可能となる。また、乗員数を考慮することで、受信側でのＤＴＶ放送データの必要性を精度良く判断でき、最適な通信データサイズを決定することができる。
【０１２４】
尚、上述した実施例では、仮想ガードインターバルサイズを一定に固定し、仮想ガードインターバルサイズに占める通信データサイズ（即ちガードインターバルサイズと通信データサイズに割り振る際の比）を調整しているが、仮想ガードインターバルサイズも、車両の乗員数に応じて変化させてもよい。この場合、ガードインターバルサイズと通信データサイズの比を固定しつつ、仮想ガードインターバルサイズを可変させてもよいし、ガードインターバルサイズと通信データサイズの比を同様に変化させつつ、仮想ガードインターバルサイズを可変させてもよい。例えば、通信データサイズは、表４に示すような態様で、仮想ガードインターバルサイズに応じて、各ステップ２１４，２１５，２１６，２１８，２１９で決定されることとしてもよい。
【０１２５】
【表４】
2010010965.tif 000006
尚、表４における各数字は、有効シンボルサイズに対する通信データサイズの割合を表している。
【０１２６】
また、図２１に示した処理では、車速から走行状態を判定した後にＤＴＶスイッチ４６のオン／オフの判定を行い、その後、乗員数の判定を行っているが、判定順序を任意であり、同時に判定してもよい。
【０１２７】
また、図２１に示した処理では、ステップ２１５やステップ２１８で通信データサイズの要求値は最小値のゼロに決定されているが、通信データサイズの要求値はゼロより大きい最小値（例えば、仮想ガードインターバルサイズが、有効シンボルサイズの１／４である場合、有効シンボルサイズの１／８）に決定されることとしてもよい。但し、この場合、ステップ２１５における通信データサイズの要求値は、ステップ２１４における通信データサイズの要求値よりも小さいことが望ましい。
【実施例６】
【０１２８】
図２２は、実施例６によるＤＴＶ放送用送信装置１０の主要構成の一例及び受信側の主要構成の一例を示すブロック図である。本実施例６は、上述の基本実施例に対して、ＤＴＶ放送用送信装置１０においてガードインターバルサイズ／通信データサイズ制御部１７が追加され、受信側に通信データサイズ制御部４２等が追加された点が主に異なる。その他の同様であってよい構成要素については、上述の基本実施例と同様の参照符号を用いて説明を適宜省略する。また、本実施例６は、上述の実施例５に対して、ディスプレイ−オン数管理部４９が追加された点が主に異なる。
【０１２９】
ディスプレイ−オン数管理部４９は、ＤＴＶデータを出力しているディスプレイ５０の画面数を検知し、検知結果を通信データサイズ制御部４２に出力する。例えば、ディスプレイ５０が２画面以上を同時に表示出力できる構成の場合、ディスプレイ−オン数管理部４９は、ＤＴＶデータを出力しているディスプレイ５０の画面数を検知し、ディスプレイ５０が複数の座席用（例えば運転席・助手席用と後部座席用）に複数設置される構成の場合、ディスプレイ−オン数管理部４９は、ＤＴＶデータを出力しているディスプレイ５０の個数（画面数）を検知する。尚、ディスプレイ−オン数管理部４９は、ディスプレイ５０の表示を制御する制御装置により実現されてもよい。
【０１３０】
ところで、２名以上の乗員が乗車している場合でも、ＤＴＶデータを出力しているディスプレイ５０の画面数が１面であれば、走行中は運転者以外の乗員は運転者と同じＤＴＶ出力を視聴することになり、ＤＴＶ放送の映像を見ることが無い。
【０１３１】
そこで、本実施例６では、ＤＴＶデータを出力しているディスプレイ５０の画面数をも考慮して、１フレーム中の通信データサイズとガードインターバルサイズを最適化する。即ち、受信側で通信データサイズの要求値（最適値）を、ＤＴＶデータを出力しているディスプレイ５０の画面数や車両の走行状態等から決定し、その要求値を送信側にフィードバックし、送信側では、当該要求値に従って、以降の送信データにおける通信データサイズを調整する。
【０１３２】
図２３は、本実施例６の通信データサイズ制御部４２により実行される通信データサイズ出力処理の一例を示すフローチャートである。尚、ここでは、一例として、仮想ガードインターバルサイズが、有効シンボルサイズの１／４の一定値であるとして説明する。
【０１３３】
ステップ２３１では、車速センサ４４からの情報に基づいて車両の走行状態が判定される。即ち、車両が走行中であるか又は停車／駐車中であるかが判定される。車両が走行中であるか又は停車／駐車中であるかの判定には、車速センサ４４からの情報に代えて若しくは加えて、ＧＰＳ測位結果やトランスミッションの回転数やブレーキ操作量やシフトポジション等が考慮されてもよい。車両が走行中である場合には、ステップ２３２に進み、車両が停車／駐車中である場合には、ステップ２３７に進む。
【０１３４】
ステップ２３２では、ＤＴＶスイッチ４６がオンであるかオフであるかが判定される。ＤＴＶスイッチ４６がオンである場合には、ステップ２３３に進み、ＤＴＶスイッチ４６がオフである場合には、ステップ２３６に進む。
【０１３５】
ステップ２３３では、乗員センサ４８からの情報に基づいて、乗員数が１名か若しくは２名以上かが判定される。乗員数が１名である場合には、ステップ２３５に進み、乗員数が２名以上である場合には、ステップ２３４に進む。
【０１３６】
ステップ２３４では、ディスプレイ−オン数管理部４９からの検知結果を入力として、ＤＴＶデータを出力しているディスプレイ５０の画面数が１画面であるか若しくは２画面以上であるかが判定される。ＤＴＶデータを出力しているディスプレイ５０の画面数が１画面である場合には、ステップ２３５に進み、ＤＴＶデータを出力しているディスプレイ５０の画面数が２画面以上である場合には、ステップ２３６に進む。
【０１３７】
ステップ２３５では、ガードインターバルサイズをある程度小さくしてその分通信データに割り当てても、必要な受信精度が確保されると判断して、通信データサイズの要求値は、所定値（例えば有効シンボルサイズの３／１６又は１／８）に決定される。所定値は、ＤＴＶ放送データの音声データに関して必要な受信精度が確保される最大の通信データサイズに対応してよい。これは、乗員が運転者１人であり、且つ、走行中でＤＴＶスイッチ４６がオンである場合や、乗員が２名以上であってもＤＴＶ放送出力中のディスプレイ５０の画面数が１つの場合は、ＤＴＶ放送を視聴しているのは運転者だけである可能性が高く、従って、ディスプレイ上にＤＴＶ映像を出力する必要が無く、ＤＴＶ放送で受信する必要のあるデータは音声データのみとなるためである。
【０１３８】
ステップ２３６では、通信データサイズの要求値は最小値（ゼロ）に決定される。これは、乗員が２名以上であり、ＤＴＶ放送出力中のディスプレイ５０の画面数が２つであり、且つ、車両が走行中でＤＴＶスイッチ４６がオンである場合には、ＤＴＶ放送データの映像データと音声データの双方が運転者以外の乗員にとって必要となるためである。
【０１３９】
ステップ２３７では、通信データサイズの要求値は、最大値（有効シンボルサイズの７／３２）に決定される。これは、ＤＴＶスイッチ４６がオフであることからＤＴＶ放送を受信する必要自体が無いためである。
【０１４０】
ステップ２３８では、ＤＴＶスイッチ４６がオンであるかオフであるかが判定される。ＤＴＶスイッチ４６がオンである場合には、ステップ２３９に進み、ＤＴＶスイッチ４６がオフである場合には、ステップ２４０に進む。
【０１４１】
ステップ２３９では、通信データサイズの要求値は最小値（ゼロ）に決定される。これは、車両が停車／駐車中であり且つＤＴＶスイッチ４６がオンである場合には、乗員の数や画面数の如何に関らず、ＤＴＶ放送データを精度良く受信することをユーザが望んでいる可能性が高いからである。
【０１４２】
ステップ２４０では、通信データサイズの要求値は、最大値（有効シンボルサイズの７／３２）に決定される。これは、ＤＴＶスイッチ４６がオフであることからＤＴＶ放送を受信する必要自体が無いためである。
【０１４３】
ステップ２４１では、上述の如く決定した通信データサイズの要求値がＤＴＶ放送用送信装置１０に出力（送信）される。これを受けて、ＤＴＶ放送用送信装置１０のガードインターバルサイズ／通信データサイズ制御部１７は、受信した要求値に従って、以降の送信データにおける通信データサイズを決定する。そして、決定されたサイズに従って、通信データ作成部１３にて通信データが作成されると共に、ガードインターバル作成部１２にてガードインターバル（ガードインターバルサイズ＝仮想ガードインターバルサイズ−通信データサイズ）が作成される。そして、これらのデータはデータ統合部１４により統合され、データ送信部１５から送信される。
【０１４４】
本実施例によれば、上述の如く、ＤＴＶデータを出力しているディスプレイ５０の画面数等に応じて、１フレーム中の通信データサイズを変更することで、ＤＴＶに必要なデータ受信性能を低下させることなく、より多くの通信データを１フレームで送ることが可能となる。また、ＤＴＶデータを出力しているディスプレイ５０の画面数を考慮することで、受信側でのＤＴＶ放送データの必要性を精度良く判断でき、最適な通信データサイズを決定することができる。
【０１４５】
尚、上述した実施例では、仮想ガードインターバルサイズを一定に固定し、仮想ガードインターバルサイズに占める通信データサイズ（即ちガードインターバルサイズと通信データサイズに割り振る際の比）を調整しているが、仮想ガードインターバルサイズも、ＤＴＶデータを出力しているディスプレイ５０の画面数に応じて変化させてもよい。この場合、ガードインターバルサイズと通信データサイズの比を固定しつつ、仮想ガードインターバルサイズを可変させてもよいし、ガードインターバルサイズと通信データサイズの比を同様に変化させつつ、仮想ガードインターバルサイズを可変させてもよい。例えば、通信データサイズは、上記の表４に示すような態様で、仮想ガードインターバルサイズに応じて、各ステップ２３５，２３６，２３７，２３９，２４０で決定されることとしてもよい。この場合、表４において、ステップ２３５，２３６，２３７，２３９，２４０は、ステップ２１４，２１５，２１６，２１８，２１９にそれぞれ対応する。
【０１４６】
また、図２３に示した処理では、車速から走行状態を判定した後にＤＴＶスイッチ４６のオン／オフの判定を行い、その後、乗員数の判定を行い、その後、画面数判定を行っているが、判定順序を任意であり、同時に判定してもよい。
【０１４７】
また、上述した実施例では、ＤＴＶデータを出力しているディスプレイ５０の画面数は、運転者視聴用の画面を含めて算出されているが、運転者視聴用の画面を除いた数として算出されてもよい。この場合、上記ステップ２３４において、ＤＴＶデータを出力しているディスプレイ５０の画面数がゼロの場合は、ステップ２３５に進み、ＤＴＶデータを出力しているディスプレイ５０の画面数が１つの場合は、ステップ２３６に進むこととしてもよい。
【０１４８】
また、図２３に示した処理では、ステップ２３６やステップ２３８で通信データサイズの要求値は最小値のゼロに決定されているが、通信データサイズの要求値はゼロより大きい最小値（例えば、仮想ガードインターバルサイズが、有効シンボルサイズの１／４である場合、有効シンボルサイズの１／８）に決定されることとしてもよい。但し、この場合、ステップ２３６における通信データサイズの要求値は、ステップ２３５における通信データサイズの要求値よりも小さいことが望ましい。
【実施例７】
【０１４９】
図２４は、実施例７によるＤＴＶ放送用送信装置１０の主要構成の一例及び受信側の主要構成の一例を示すブロック図である。本実施例７は、上述の基本実施例に対して、ＤＴＶ放送用送信装置１０においてガードインターバルサイズ／通信データサイズ制御部１７が追加され、受信側に通信データサイズ制御部４２、ＧＰＳ受信機６０及びワンセグ／フルセグエリアマップ取得部６２が追加された点が主に異なる。その他の同様であってよい構成要素については、上述の基本実施例と同様の参照符号を用いて説明を適宜省略する。
【０１５０】
通信データサイズ制御部４２には、ＧＰＳ受信機６０及びワンセグ／フルセグエリアマップ取得部６２が接続される。ＧＰＳ受信機６０は、ＧＰＳ衛星からの電波の受信結果を用いて車両の位置を測位し、測位結果を通信データサイズ制御部４２に出力する。ワンセグ／フルセグエリアマップ取得部６２は、ワンセグ及びフルセグの受信可能なエリアを表すワンセグ／フルセグエリアマップ（図２５参照）を取得する。ワンセグ／フルセグエリアマップ取得部６２は、取得したワンセグ／フルセグエリアマップを通信データサイズ制御部４２に出力する。ワンセグ／フルセグエリアマップ取得部６２は、ワンセグ／フルセグエリアマップを定期的に取得し記憶保持しておいてもよい。
【０１５１】
ところで、現在、日本のＤＴＶ放送はフルセグ放送とワンセグ放送があるが、フルセグ放送とワンセグ放送とは特性が異なる。例えば、ワンセグ放送は、フルセグ放送よりも受信エリアが広く、また、受信データにノイズが乗った場合に、ワンセグ放送の方がフルセグ放送よりも、ユーザにとって画質の劣化が分かりにくい。
【０１５２】
そこで、本実施例７では、フルセグ放送とワンセグ放送の特性を利用して、１フレーム中の通信データサイズとガードインターバルサイズを最適化する。
【０１５３】
図２６は、本実施例７の通信データサイズ制御部４２により実行される通信データサイズ出力処理の一例を示すフローチャートである。尚、ここでは、一例として、仮想ガードインターバルサイズが、有効シンボルサイズの１／４の一定値であるとして説明する。
【０１５４】
ステップ２５１では、ＧＰＳ受信機６０から車両位置の最新の測位結果を入力として、現在の車両位置が判断される。
【０１５５】
ステップ２５２では、現在の車両位置と、ワンセグ／フルセグエリアマップ取得部６２からのワンセグ／フルセグエリアマップとの関係に基づいて、現在の車両位置において、フルセグ放送が受信可能か、ワンセグ放送のみが受信可能か、若しくは、いずれも受信できないかが判定される。フルセグ放送が受信可能なエリアに現在の車両位置が属する場合は、ステップ２５３に進み、ワンセグ放送のみが受信可能なエリアに現在の車両位置が属する場合は、ステップ２５４に進み、フルセグ放送とワンセグ放送のいずれも受信できないエリアに現在の車両位置が属する場合は、ステップ２５５に進む。
【０１５６】
ステップ２５３では、通信データサイズの要求値は最小値（ゼロ）に決定される。これにより、ガードインターバルサイズが大きくなり、フルセグ放送における画質の劣化を防止することができる。
【０１５７】
ステップ２５４では、通信データサイズの要求値は、最大値（有効シンボルサイズの７／３２）に決定される。これにより、ガードインターバルサイズが小さくなるものの、ワンセグ放送の画質の劣化を目立たないレベルに抑えつつ、より多くの通信データを送ることができる。
【０１５８】
ステップ２５５では、通信データサイズの要求値は、任意のデフォルト値に決定される。これは、通信データサイズを任意のサイズに設定しても、ＤＴＶ放送のフレーム自体が受信できないことから劣化の問題が生じないためである。
【０１５９】
ステップ２５６では、上述の如く決定した通信データサイズの要求値がＤＴＶ放送用送信装置１０に出力（送信）される。これを受けて、ＤＴＶ放送用送信装置１０のガードインターバルサイズ／通信データサイズ制御部１７は、受信した要求値に従って、以降の送信データにおける通信データサイズを決定する。そして、決定されたサイズに従って、通信データ作成部１３にて通信データが作成されると共に、ガードインターバル作成部１２にてガードインターバル（ガードインターバルサイズ＝仮想ガードインターバルサイズ−通信データサイズ）が作成される。そして、これらのデータはデータ統合部１４により統合され、データ送信部１５から送信される。
【０１６０】
本実施例によれば、上述の如く、ワンセグ／フルセグ放送の受信可能状態に応じて、１フレーム中の通信データサイズを変更することで、ワンセグ放送のみ受信可能なエリアにおいて、より多くの通信データを１フレームで送ることが可能となる。また、フルセグ放送が受信可能なエリアにおいて、通信データサイズをゼロにすることで（即ち通信データを送信しないようにすることで）、フルセグ放送を高画質で提供することが可能となる。
【０１６１】
尚、本実施例では、上述の如く、フルセグ放送が受信可能なエリアに現在の車両位置が属する場合は、通信データサイズの要求値は最小値のゼロに決定されているが、通信データサイズの要求値は、通信データを送信可能な最小値（例えば、仮想ガードインターバルサイズが、有効シンボルサイズの１／４である場合、有効シンボルサイズの１／８）に決定されてもよい。
【０１６２】
また、上述した実施例では、仮想ガードインターバルサイズを一定に固定し、仮想ガードインターバルサイズに占める通信データサイズ（即ちガードインターバルサイズと通信データサイズに割り振る際の比）を調整しているが、仮想ガードインターバルサイズも、ワンセグ／フルセグ放送の受信可能状態に応じて変化させてもよい。この場合、ガードインターバルサイズと通信データサイズの比を固定しつつ、仮想ガードインターバルサイズを可変させてもよいし、ガードインターバルサイズと通信データサイズの比を同様に変化させつつ、仮想ガードインターバルサイズを可変させてもよい。例えば、通信データサイズは、表５に示すような態様で、仮想ガードインターバルサイズに応じて、各ステップ２５３，２５４で決定されることとしてもよい。
【０１６３】
【表５】
2010010965.tif 000007
尚、表５における各数字は、有効シンボルサイズに対する通信データサイズの割合を表している。
【実施例８】
【０１６４】
図２７は、実施例８によるＤＴＶ放送用送信装置１０の主要構成の一例及び受信側の主要構成の一例を示すブロック図である。本実施例８は、上述の基本実施例に対して、ＤＴＶ放送用送信装置１０においてガードインターバルサイズ／通信データサイズ制御部１７が追加され、受信側に通信データサイズ制御部４２、目的地記憶部６４が追加された点が主に異なる。その他の同様であってよい構成要素については、上述の基本実施例と同様の参照符号を用いて説明を適宜省略する。
【０１６５】
通信データサイズ制御部４２には、目的地記憶部６４が接続される。目的地記憶部６４は、現在の車両の目的地及びその属性が記憶される。記憶される車両の目的地は、車載ナビゲーションシステムで設定される目的地であってよい。目的地の属性は、目的地の種別（例えば、観光地、レストラン、映画）を含んでよく、POI（Point  of  Interest）に対応してもよい。尚、目的地記憶部６４は、車載ナビゲーションシステムのＥＣＵの記憶部により実現されてもよい。
【０１６６】
図２８は、本実施例８の通信データ作成部１３により作成される通信データのデータ構造の一例を示す図である。実施例８による通信データのデータ構造は、上述の基本実施例によるデータ構造（図３参照）に対して、通信データの属性を表すデータが組み込まれている点が異なる。通信データの属性は、通信データコンテンツの属性を表すデータであり、例えば図２８に示すように、仮想ガードインターバルサイズのデータの直後に配置されてもよい。
【０１６７】
図２９は、本実施例８の通信データサイズ制御部４２により実行される通信データサイズ出力処理の一例を示すフローチャートである。尚、ここでは、一例として、仮想ガードインターバルサイズが、有効シンボルサイズの１／４の一定値であるとして説明する。
【０１６８】
ステップ２９１では、ＤＴＶ放送用送信装置１０からの送信データに含まれる通信データの属性が読み込まれる。
【０１６９】
ステップ２９２では、目的地記憶部６４から目的地の属性が読み込まれる。
【０１７０】
ステップ２９３では、通信データと目的地の属性が比較され、通信データと目的地の属性が同じであるか否かが判定される。通信データと目的地の属性が異なる場合、ステップ２９４に進み、通信データと目的地の属性が同じである場合、ステップ２９５に進む。例えば目的地が映画館であり、通信データコンテンツの属性が映画の予告である場合には、それぞれの属性が一致すると判断され、ステップ２９５に進む。
【０１７１】
ステップ２９４では、ＤＴＶ放送データの方が通信データよりもユーザのニーズが高いと判断して、通信データサイズを小さくすべく、通信データサイズの要求値は、最小値（例えば有効シンボルサイズの３／１６又は１／８若しくは０）に決定される。
【０１７２】
ステップ２９５では、通信データの方がＤＴＶ放送データよりもユーザのニーズが高いと判断して、通信データサイズを大きくすべく、最大値（有効シンボルサイズの７／３２）に決定される。
【０１７３】
ステップ２９６では、上述の如く決定した通信データサイズの要求値がＤＴＶ放送用送信装置１０に出力（送信）される。これを受けて、ＤＴＶ放送用送信装置１０のガードインターバルサイズ／通信データサイズ制御部１７は、受信した要求値に従って、以降の送信データにおける通信データサイズを決定する。そして、決定されたサイズに従って、通信データ作成部１３にて通信データが作成されると共に、ガードインターバル作成部１２にてガードインターバル（ガードインターバルサイズ＝仮想ガードインターバルサイズ−通信データサイズ）が作成される。そして、これらのデータはデータ統合部１４により統合され、データ送信部１５から送信される。
【０１７４】
本実施例によれば、上述の如く、通信データと目的地の属性の整合性に応じて、１フレーム中の通信データサイズを変更することで、ユーザのニーズに適合したサイズの通信データを１フレームで送ることが可能となる。即ち、通信データと目的地の属性の整合性を判断することで、ユーザの要求がＤＴＶコンテンツの方が高いか通信データの方が高いかを精度良く判定することができ、その結果、最適なサイズの通信データを１フレームで送ることが可能となる。
【０１７５】
尚、上述した実施例では、仮想ガードインターバルサイズを一定に固定し、仮想ガードインターバルサイズに占める通信データサイズ（即ちガードインターバルサイズと通信データサイズに割り振る際の比）を調整しているが、仮想ガードインターバルサイズも、通信データと目的地の属性の整合性に応じて変化させてもよい。この場合、ガードインターバルサイズと通信データサイズの比を固定しつつ、仮想ガードインターバルサイズを可変させてもよいし、ガードインターバルサイズと通信データサイズの比を同様に変化させつつ、仮想ガードインターバルサイズを可変させてもよい。
【０１７６】
以上、本発明の好ましい実施例について詳説したが、本発明は、上述した実施例に制限されることはなく、本発明の範囲を逸脱することなく、上述した実施例に種々の変形及び置換を加えることができる。
【０１７７】
例えば、上述した実施例では、受信側が車両（車載器）である場合であったが、本発明は、受信側が他の移動体や、固定の機器（例えばユーザの自宅のパーソナルコンピューター）であってもよい。例えば、上述した実施例４は、ユーザのニーズにより動的に画面内の表示コンテンツの数が変わるシステムや、各コンテンツに割り当てられる解像度が動的に変わるシステムにも適用可能である。
【０１７８】
また、上述した各実施例は、それぞれ単独で成立する態様で記載されているが、適切な任意の組み合わせで実現することが可能である。
【０１７９】
また、上述した実施例では、ＯＦＤＭが用いられているが、今後、ＤＴＶ放送用の通信方式が変化した場合には、それに応じて他の方式が用いられてもよい。
【図面の簡単な説明】
【０１８０】
【図１】本発明によるＤＴＶ放送用送信装置１０の一例の主要構成を示すブロック図である。
【図２】ＤＴＶ放送用送信装置１０から送信される送信データのデータ構造の一例を示す図である。
【図３】通信データのデータ構造の一例を示す図である。
【図４】ＤＴＶ放送用送信装置１０からの送信データを受信するのに好適な受信装置３０の一例の主要構成を示すブロック図である。
【図５】ＯＦＤＭ＋データ分離部３２にて実行されるデータ分離処理の一例を示すフローチャートである。
【図６】従来構成による送信データのデータ構造を示す図である。
【図７】ガードインターバル位置の探索方法（図５のステップ５２参照）の一例を模式的に示す図である。
【図８】１フレームのサイズの算出方法（図５のステップ５４参照）の一例を模式的に示す図である。
【図９】本実施例のＤＴＶ放送用送信装置１０及び受信装置３０が適用される代表的なシステムを示す図である。
【図１０】図９のシステムの実現例の一例を示す図である。
【図１１】実施例１によるＤＴＶ放送用送信装置１０の一例の主要構成を示すブロック図である。
【図１２】ガードインターバルサイズ制御部１６により実行される処理の一例を示すフローチャートである。
【図１３】実施例２によるＤＴＶ放送用送信装置１０の主要構成の一例及び受信側の主要構成の一例を示すブロック図である。
【図１４】受信装置３０のデータサイズ算出部３５により実行される処理の一例を示すフローチャートである。
【図１５】実施例３によるＤＴＶ放送用送信装置１０の主要構成の一例及び受信側の主要構成の一例を示すブロック図である。
【図１６】ＤＴＶ映像の異なる出力態様の一例を示す図である。
【図１７】表示コントローラ４０により実行されるガードインターバルサイズ出力処理の一例を示すフローチャートである。
【図１８】実施例４によるＤＴＶ放送用送信装置１０の主要構成の一例及び受信側の主要構成の一例を示すブロック図である。
【図１９】本実施例４の通信データサイズ制御部４２により実行される通信データサイズ出力処理の一例を示すフローチャートである。
【図２０】実施例５によるＤＴＶ放送用送信装置１０の主要構成の一例及び受信側の主要構成の一例を示すブロック図である。
【図２１】本実施例５の通信データサイズ制御部４２により実行される通信データサイズ出力処理の一例を示すフローチャートである。
【図２２】実施例６によるＤＴＶ放送用送信装置１０の主要構成の一例及び受信側の主要構成の一例を示すブロック図である。
【図２３】本実施例６の通信データサイズ制御部４２により実行される通信データサイズ出力処理の一例を示すフローチャートである。
【図２４】実施例７によるＤＴＶ放送用送信装置１０の主要構成の一例及び受信側の主要構成の一例を示すブロック図である。
【図２５】ワンセグ／フルセグエリアマップの一例を模式的に示す図である。
【図２６】本実施例７の通信データサイズ制御部４２により実行される通信データサイズ出力処理の一例を示すフローチャートである。
【図２７】実施例８によるＤＴＶ放送用送信装置１０の主要構成の一例及び受信側の主要構成の一例を示すブロック図である。
【図２８】本実施例８の通信データ作成部１３により作成される通信データのデータ構造の一例を示す図である。
【図２９】本実施例８の通信データサイズ制御部４２により実行される通信データサイズ出力処理の一例を示すフローチャートである。
【符号の説明】
【０１８１】
１０    ＤＴＶ放送用送信装置
１１    有効シンボル作成部
１２    ガードインターバル作成部
１３    通信データ作成部
１４    データ統合部
１５    データ送信部
１６    ガードインターバルサイズ制御部
１７    ガードインターバルサイズ／通信データサイズ制御部
３０    受信装置
３１    チューナー
３２    ＯＦＤＭ＋データ分離部
３３    ＤＴＶ処理部
３５    データサイズ算出部
４０    表示コントローラ
４２    通信データサイズ制御部
４４    車速センサ
４６    ＤＴＶスイッチ
４８    乗員センサ
５０    ディスプレイ
６０    ＧＰＳ受信機
６２    ワンセグ／フルセグエリアマップ取得部
６４    目的地記憶部
７０    車載器
【図１】
2010010965.tif 000008
【図２】
2010010965.tif 000009
【図３】
2010010965.tif 000010
【図４】
2010010965.tif 000011
【図５】
2010010965.tif 000012
【図６】
2010010965.tif 000013
【図７】
2010010965.tif 000014
【図８】
2010010965.tif 000015
【図９】
2010010965.tif 000016
【図１０】
2010010965.tif 000017
【図１１】
2010010965.tif 000018
【図１２】
2010010965.tif 000019
【図１３】
2010010965.tif 000020
【図１４】
2010010965.tif 000021
【図１５】
2010010965.tif 000022
【図１６】
2010010965.tif 000023
【図１７】
2010010965.tif 000024
【図１８】
2010010965.tif 000025
【図１９】
2010010965.tif 000026
【図２０】
2010010965.tif 000027
【図２１】
2010010965.tif 000028
【図２２】
2010010965.tif 000029
【図２３】
2010010965.tif 000030
【図２４】
2010010965.tif 000031
【図２５】
2010010965.tif 000032
【図２６】
2010010965.tif 000033
【図２７】
2010010965.tif 000034
【図２８】
2010010965.tif 000035
【図２９】
2010010965.tif 000036